(57)【要約】      （修正有）【課題】棺の蓋板を、棺本体の両サイドに回動させて折畳んで納められるようにした蓋折畳み式の棺を提供する。【解決手段】棺の蓋板２，３を長手方向の中央で２分割して、それぞれ頭あるいは脚方向のサイドに折り畳み、かつその短手側の側板４１，４２の上縁に設けた軸４で回動させて側板の外側に添って納められるようにし、側板の外側に折り重ねられる蓋板２，３同士の対応する合わせ位置に面ファスナーを装備させて密着できるようにした、蓋板が外側に折り畳まれて納められ蓋板の置き場所を心配することなく、しかもご遺体の納棺時に蓋板が邪魔となることもない棺である。【選択図】図１
0003205693.tif 000002
【実用新案登録請求の範囲】
【請求項１】
蓋板の一側が、直方体の本体の側板上縁に軸着されており、側板の外側に回動でき、さらに折畳んで側板の外側に添って納められるように形成されていることを特徴とする棺。
【請求項２】
蓋板が、長手方向に２分割されており、それぞれの端部が本体の長手方向の相対する短手側で軸着されており、側板の外側に回動でき、さらに折畳んで側板の外側に添って納められるように形成されていることを特徴とする棺。
【請求項３】
前記２分割された蓋板同士の中央合わせ部と本体側との対応する位置に磁性体あるいは磁石をそれぞれ配置してある請求項１あるいは２に記載の棺。
【請求項４】
本体の長手方向に沿う両側板が、本体よりわずか延長しており、この延長部同士の上端の間に蓋板の一端が回転自在に軸受されて装着されることを特徴とする請求項１から３のうちの１に記載の棺。
【請求項５】
蓋板は、長手方向に直交する幅が、本体の幅より狭く、そして長手方向に沿った側板の内側上部に、蓋板を本体内に落とし込んだ時に蓋板を受け止める受桟が設けられている請求項１から４のうちの１に記載の棺。
【請求項６】
蓋の開き度を調整するために、前記受桟に蓋板先端係止用の切込みが適宜間隔に形成されていることを特徴とする請求項５に記載の棺。
【請求項７】
蓋板を折畳んだ時に蓋板同士が密着するように、蓋板を折畳んだ内側の対応する面に、面ファスナーを固着してある請求項１から５のうちの１に記載の棺。
【考案の詳細な説明】
【技術分野】
【０００１】
本考案は、棺の蓋を棺本体の両サイドに折畳んで納められるようにした蓋折畳み式の棺に関するものである。
【背景技術】
【０００２】
棺の蓋は、ご遺体を納棺するときはもちろん、お通夜、葬儀中でも蓋を開けることが多い。その場合、取り去った蓋の置き場所として、棺あるいは近くの壁に寄り掛けるなどしている。
【０００３】
棺の蓋が、棺本体の長手方向の片側を軸にして回転して開く洋棺タイプのものがある。この洋棺タイプは、本体の片側に蓋がヒンジによって開閉可能に取り付けられ、一側に約120度開いて停止するようになっている。あるいは、蓋が遺体の上半身部分と、下半身部分とに分割されて、それぞれ独立に開閉するものがある（特許文献１）。
【先行技術文献】
【特許文献】
【０００４】
【特許文献１】特開２００９−１１２６０２
【考案の概要】
【考案が解決しようとする課題】
【０００５】
通常、棺は奥まった壁の前に密接させて置かれたり、または狭いスペースに置かれてあることが多く、蓋を開けた後に、葬儀場の作業の邪魔とならないように、あるいは来場者がぶつかり破損しないように考慮して置かねばならず、その蓋を置く位置に苦慮することがある。洋棺の場合は、前記したように、蓋が本体の長手方向側の片側にヒンジ等によって回転できるように取り付けられているため、蓋の開閉方向が定められてしまううえ、その方向に蓋を回転するスペースを確保しておかなければならない。
【０００６】
そして洋棺の場合は、ご遺体は棺上部に安置されるから蓋がそれほど邪魔にならないが、国産棺の場合は、底板までご遺体を降ろすので、蓋が放置されたままであると邪魔になり納棺が大変困難な作業となる。
【０００７】
また、通常、棺は、棺の底板の形状によりご遺体を安置する向きが決められるので、参列者からご遺体を見ることができるように、また蓋の開く向きを考慮しながら棺の配置に配慮しなければならず非常に制約を受ける。加えて遺体の頭の向きを北方あるいは西方といった家族の慣習に合わせた方向に設置すること等も考慮しなければならないので面倒なことになるばかりか、適正な向きに整えて棺を置けないことがある。場合によっては、現場で、蓋の開く方向を棺本体の反対側に変える作業が必要になることもあり手間を要することがある。
【課題を解決するための手段】
【０００８】
そこで本考案は、棺の蓋板を長手方向の中央で２分割して、それぞれ短手側方向（頭あるいは脚方向）に折り畳みかつ短手側の側板上縁に設けた軸で回動させて側板の外側に添って納められるようにした。折畳み部の合わさる面には、必要に応じて面ファスナー等の着脱具を付けておいて、側板の外側に折り重ねられる蓋板同士を密着できるように、蓋板を折畳んだ内側の対応する位置に面ファスナーを装備させた。
このように構成することにより、納棺時には、蓋板が短手側の外側に折り畳まれて納められるので、蓋板の置き場所を心配することなく、しかもご遺体の納棺時に蓋板が邪魔となることもない。
【考案の効果】
【０００９】
本考案の棺の蓋は、本体側板の外側に折り重ねて納まるので、まず、蓋を開けた時に、蓋板の置き場所に困らない。蓋板は側板の外側に添って折り重ねられるので、祭壇の正面からは従来の棺と同様に見えるので体裁を損なわない。祭場の都合で、棺が壁にピタリと設置されるような場合でも、蓋は左右に折り畳むことで支障なく行える。しかもご遺体の納棺時にも邪魔とならない。
最後の対面のために通常はのぞき窓を形成するが、本考案はのぞき窓を装備できることはもちろんであるが、上半身側の蓋板を開けばご遺体との対面が可能となるので、構造が簡単となり製作費が廉価で済む。また、蓋板の開き度合いを任意の位置で止めれるようにしてあるので、必要に応じた広さだけ開けることも可能である。
【図面の簡単な説明】
【００１０】
【図１】蓋板の折畳み動作を示す断面図。
【図２】蓋を閉じた状態の断面図。
【図３】蓋板の折畳み動作の拡大断面図。
【図４】蓋の開き度合いを調整する状態を示す断面図。
【図５】蓋板の折畳み動作の斜視図。
【図６】下半身を蓋し、上半身のみを開けた状態の斜視図。
【図７】のぞき窓を形成してある斜視図。
【考案を実施するための形態】
【００１１】
本考案の棺は、図１および図２に示すように、側板および底板との枠からなる直方体の本体１と、その本体１の上方開口部の短手方向の内径よりわずかに短い幅の蓋板２とからなる。長手方向に沿った本体の側板５は、板の厚さ分（Ｌ）本体部分の高さより高く、そして短手側の側板４１，４２より長く延出している。蓋板は、長手方向、つまりご遺体の頭から足方向のほぼ中央で２等分（蓋板２，３）され、それぞれの一端２a，２ｂが、両側板５の延出部分５a（長さＬ）の上端部間に渡した軸４に回動自在に固定されている。この固定は、一方にブッシュ、ダボ穴、メス穴そして他方にボス、キー、オスピボット等の組合せでも良い。
【００１２】
２等分された蓋板２，３は、さらに２分割され、その２分割された蓋片２１，２２および３１，３２がそれぞれヒンジ２２ｂ、３２ｂにて上方へ山折れできるように連結されている。そして蓋片２１，３１の突合せ部分Ｃの対向する中央部先端２１ａ,３１aは、相互に重なり合うように上下逆向きの切欠き段が形成されており、上側に重なる蓋板（本実施例では２１）は、本体内側に設けたマグネット等６により吸着され、同時に下側の蓋片３１も下方へ押えるようになっている。
【００１３】
前記したように、長手方向に沿った側板５が上方及び側方ともに長さ（Ｌ）分長くなっていることで、逆に述べると、蓋板２，３は、本体より小さい幅であるので、蓋をしたときには本体内に蓋が入り込む。この入り込んだ蓋板２，３を支持するために、本体１の長手方向に沿った側板５の内側面の開口部近辺に蓋受桟７が設けられている。この蓋受桟７の位置は、長手方向の側板５の高くした部分（Ｌ）より低い元の本体部分の上端となる。すなわち高くした側板５部分の上端と蓋板２，３とが同一高さとなるようにして体裁良くしてある。
【００１４】
蓋板２，３は、それぞれの短手側蓋片２２，３２が長手方向に沿った側板５の短手側側板４１，４２方向の延出部分５ａの上端で軸着されているので、この軸着部４を軸にそれぞれ長手方向の外側に回転され、さらにヒンジ部２２ｂ，３２ｂで連結された中央部蓋片２１，３１と短手側蓋片２２，３２とが該ヒンジ部で折れ曲がり折り重なりながら回動して短手側側板４１，４２の外側に重なって折畳まれる。
【００１５】
中央部蓋片２１，３１と短手側蓋片２２，３２との折り重なり接面するそれぞれの片の対応位置に面ファスナー８を固着してある。これにより短手側側板に折畳んだ時に外方向に拡がることなく側板に密着して納まるようにしてある。
【００１６】
さらに、本考案は、図７に示すように、上半身方向の短手側蓋片３２に覗き窓９を形成できることはもちろんであるが、棺を一定の広さに開けたいときに、蓋の開き度合を調整できるようにするために、前記受桟７に蓋板３１の先端３１aを係止するための係合溝１０が適宜間隔に形成してある。（図４、図６参照）
【００１７】
前記した実施例では、蓋板の折畳み方向を短手側としたが、長手側に折畳むようにすることも可能である。この場合は当然に」回転軸は長手方向に添って設けることになる。
【符号の説明】
【００１８】
１      棺本体
２      蓋板
２２ｂ      ヒンジ
３      蓋板
３２ｂ      ヒンジ
４      軸
４１，４２      短手側側板
５      長手側側板
５ａ    側板の延出部分（長さ  Ｌ）
６      磁石または磁性体
７      蓋受桟
８      面ファスナー
９      覗き窓
１０    係合溝
【図１】
0003205693.tif 000003
【図２】
0003205693.tif 000004
【図３】
0003205693.tif 000005
【図４】
0003205693.tif 000006
【図５】
0003205693.tif 000007
【図６】
0003205693.tif 000008
【図７】
0003205693.tif 000009
【手続補正書】
【提出日】平成28年6月2日(2016.6.2)
【手続補正１】
【補正対象書類名】実用新案登録請求の範囲
【補正対象項目名】請求項３
【補正方法】変更
【補正の内容】
【請求項３】
前記２分割された蓋板同士の中央合わせ部と本体側との対応する位置に磁性体あるいは磁石をそれぞれ配置してある請求項２に記載の棺。